(57)【要約】【課題】スプールに付与される制動力を明確に認識でき、ドラグ操作を確実且つ容易に行なえる魚釣用リールの提供を目的としている。【解決手段】本発明は、リール本体１ａの側板１０Ａ，１０Ｂ間に回動自在に支持されたスプール２に付与する制動力を、リール本体１ａの一側に設けられたレバー状調節体６１の前後方向の回動操作によって強弱に調節する制動装置６０を備えた魚釣用リールにおいて、レバー状調節体６１に近接して配置されるカバー体１１には、制動力のレベルを表示するためのレベル表示部１３が設けられ、レバー状調節体６１には、レベル表示部１３を指し示すための指標部１４が設けられていることを特徴とする。【選択図】    図２
2004173592.tif 000002
【特許請求の範囲】
【請求項１】
リール本体の側板間に回動自在に支持されたスプールに付与する制動力を、リール本体の一側に設けられたレバー状調節体の前後方向の回動操作によって強弱に調節する制動装置を備えた魚釣用リールにおいて、
前記レバー状調節体に近接して配置されるカバー体には、制動力のレベルを表示するためのレベル表示部が設けられ、
前記レバー状調節体には、前記レベル表示部を指し示すための指標部が設けられていることを特徴とする魚釣用リール。
【請求項２】
前記レベル表示部は、制動力が増加される方向に大きくなる表示部で形成されていることを特徴とする請求項１に記載の魚釣用リール。
【請求項３】
前記レベル表示部は、制動力が増加される方向に大きくなる貫通孔で形成されていることを特徴とする請求項１または請求項２に記載の魚釣用リール。
【請求項４】
前記カバー体の外側中央部に、制動力の微調節用つまみが回動可能に設けられていることを特徴とする請求項１ないし請求項３のいずれか１項に記載の魚釣用リール。
【発明の詳細な説明】
【０００１】
【発明の属する技術分野】
本発明は、リール本体の側板間に回転自在に支持されたスプールに制動力を付与する制動装置を備えた魚釣用リールに関する。
【０００２】
【従来の技術】
リール本体の一側の側板に設けられた操作レバーの前後方向の回動操作によって、スプールと一体回転する制動板に制動力を付与する制動装置を備えた魚釣用リールは従来から知られている（例えば、特許文献１および特許文献２参照）。
【０００３】
【特許文献１】
特公昭５０−９７１８号公報（２頁右欄３９行目〜３頁左欄１６行目、第１図）
【０００４】
【特許文献２】
特公昭４９−１６３１９号公報（２頁右欄１４行目〜２９行目、第１図）
【０００５】
【発明が解決しようとする課題】
ところで、このような制動装置を備えた魚釣用リールにあっては、実釣時に、操作レバーを前後方向に回動操作することにより、制動力を強くしたり、あるいは、制動力を弱くして、釣糸を繰り出したり、巻取り操作を行なったり等する複合操作を、魚のファイティング状況に合わせてタイムリーに行なうことが要求される。
【０００６】
しかしながら、前記特許文献１および特許文献２の構成では、前後方向に回動操作される操作レバーの位置によって、スプールに付与される制動力の大体は目安的に認識できるが、操作レバーの回動位置、つまり、魚とのファイティング時に状況に対応して設定・実行されたドラグ力を正確に実釣時に再現することが難しい。そのため、制動力が強くなり過ぎて、釣糸の切断や魚の口切れが発生してしまったり、あるいは、制動力が弱くて余分な釣糸を繰り出してしまったり等の不具合が生じてしまい、ドラグ操作を確実且つ容易に行なえないという問題がある。
【０００７】
本発明は前記事情に着目してなされたものであり、その目的とするところは、スプールに付与される制動力を明確に認識でき、ドラグ操作を確実且つ容易に行なえる魚釣用リールを提供することにある。
【０００８】
【課題を解決するための手段】
前記課題を解決するために、本発明は、リール本体の側板間に回動自在に支持されたスプールに付与する制動力を、リール本体の一側に設けられたレバー状調節体の前後方向の回動操作によって強弱に調節する制動装置を備えた魚釣用リールにおいて、前記レバー状調節体に近接して配置されるカバー体には、制動力のレベルを表示するためのレベル表示部が設けられ、前記レバー状調節体には、前記レベル表示部を指し示すための指標部が設けられていることを特徴とする。
【０００９】
【発明の実施の形態】
以下、図面を参照しつつ本発明の実施形態について説明する。
【００１０】
図１には、本発明の一実施形態に係る魚釣用リール（両軸受型リール）１が示されている。このリール１は、釣糸が巻回されるスプール２と、スプール２を釣糸巻取り方向に回転させるためのハンドル５０とを有しており、スプール２は、軸受４Ａ，４Ｂを介して、断面形状が円形のスプール軸４に回転可能に支持されている。また、スプール軸４は、軸受６，８を介してリール本体１ａ側に回転可能に支持されるとともに、その軸方向に沿ってスライド（変位）できる。具体的には、リール本体１ａは、これに締結された左右の側板１０Ａ，１０Ｂを有しており、スプール軸４の一端側（図中、左側・・・反ハンドル側）は、左側板１０Ａに設けられた軸受６に支持されるとともに、スプール軸４の他端側（図中、右側・・・ハンドル側）は、右側板１０Ｂに設けられた軸受８に支持されている。なお、軸受４Ａ，４Ｂ間には、スプール軸４が貫通するカラー３９が介挿されている。
【００１１】
また、スプール軸４の他端側には、小径の高速ピニオンギア２０が形成されているとともに、大径の低速ピニオンギア２２が装着されている。この場合、低速ピニオンギア２２は、スプール軸４をその軸方向に対して直交する方向に貫通するピン４０を介して、スプール軸４に回り止め嵌合されている。したがって、これらのピニオンギア２０，２２はスプール軸４と一体で回転できる。
【００１２】
スプール軸４の一端側には、スプール２と摩擦係合しつつスプール２を軸方向で押圧する押圧部３０が取り付けられている。押圧部３０は、スプール２に一体的に取り付けられた環状のドラグワッシャ（制動体）２Ａの両側に位置する一対のドラグ押圧部材３１Ａ，３１Ｂを有している。これらのドラグ押圧部材３１Ａ，３１Ｂは、環状を成しており、スプール軸４に回り止め嵌合されるとともに、そのライニング材３１ａ，３１ｂを介してドラグワッシャ２Ａの両側からドラグワッシャ２Ａの側面に摩擦接触（圧接）することができる。
【００１３】
なお、後述するが、スプール２側からドラグワッシャ２Ａに摩擦接触する一方（図中右側）の第１のドラグ押圧部材３１Ａは、スプール軸４の軸方向変位に伴って軸方向に移動し、他方（図中左側）の第２のドラグ押圧部材３１Ｂは、スプール軸４の軸方向変位に伴って軸方向に移動しないようになっている。
【００１４】
スプール軸４の一端部（一側部）は、その断面形状が非円形を成す非円形部４４として形成されている。また、第２のドラグ押圧部材３１Ｂは、スプール軸４の非円形部４４と同形の開口部（内孔）３１Ｂａを有している。そして、スプール軸４の非円形部４４を、第２のドラグ押圧部材３１Ｂの開口部３１Ｂａに嵌合させることにより、第２のドラグ押圧部材３１Ｂがスプール軸４に対して回り止めされている。
【００１５】
また、第１のドラグ押圧部材３１Ａは、その円形の内孔３１Ａａを介してスプール軸４の円形断面部位の外周に嵌合されるとともに、ピン（係止突部）４２を介してスプール軸４に対する回転が防止されている。この場合、ピン４２は、第１の回り止め部としての非円形部４４と軸方向に並んで設けられるとともに、スプール軸４をその軸方向に対して直交する方向に貫通して径方向外側に突出しており、その突出部が第１のドラグ押圧部材３１Ａの係止溝３１Ａｂに係止している。
【００１６】
また、ドラグ押圧部材３１Ａ，３１Ｂ間には、これらをドラグワッシャ２Ａから離間させる方向に付勢する圧縮バネ３６が介挿されている。なお、この圧縮バネ３６によって、第１のドラグ押圧部材３１Ａは軸受４Ａ側に、そして、第２のドラグ押圧部材３１Ｂは軸受６側に向けてそれぞれ付勢（ドラグワッシャ２Ａよりライニング材３１ａ，３１ｂが離間する方向）されている。
【００１７】
ハンドル５０が位置するスプール軸４の他端側には、スプール軸４を軸方向に移動させてスプール４の釣糸繰り出し方向の回転に制動力を付与するドラグ機構（制動装置）６０が設けられている。このドラグ機構６０は、右側板１０Ｂに対して前後方向に回動可能に装着され且つカム機構６２を作動させるレバー状調節体としてのドラグレバー６１を有している。カム機構６２は、公知のように、ドラグレバー６１と一体で回転するカム部と、スプール軸４と結合し且つ前記カム部の回転に伴って軸方向にスライドするスライド部とから成り、ドラグレバー６１の前方への回動に伴って前記カム部が回転すると、前記スライド部が軸方向にスライドしてスプール軸４を反ハンドル側に向かって軸方向に移動させることができる。すなわち、ドラグレバー６１の前後方向の回動操作によって、後述するように制動力を強弱に調節することができるようになっている（ドラグレバー６１の前方への回動によって制動力が強くなり、ドラグレバー６１の後方への回動によって制動力が弱くなる）。
【００１８】
また、右側板１０Ｂには、ドラグレバー６１の外側に近接して、環状のカバー体１１が固定的に配設されている。図２に詳しく示されるように、カバー体１１は、複数のネジＳによって右側板１０Ｂに固定されており、ドラグ機構６０のカム機構６２に連結されるドラグレバー６１の抜け止めとして作用する。
【００１９】
また、カバー体１１には、制動力のレベルを表示するためのレベル表示部１３が設けられている。このレベル表示部１３は、ドラグレバー６１の前方への操作方向に向かって、すなわち、制動力が増大する方向に向かって大きくなる数字からなる。また、ドラグレバー６１には、レベル表示部１３と近接する部位（具体的には、カバー体１１の径方向外側に突出するドラグレバー６１の部位）に、レベル表示部１３の数字を指し示すための指標部１４が設けられている。
【００２０】
また、カバー体１１の外側中央部には、制動力を微調節するための微調節用つまみ１２が、カバー体１１に軸方向に抜け止めされて、カバー体１１を右側板１０ＢにネジＳで固定することにより、回動可能にドラグ機構６０に連結されている。この微調節用つまみ１２は、図１に示されるように、ドラグレバー６１を介すことなくカム機構６２を作動させて、スプール軸４を反ハンドル側に向かって軸方向に微小量だけ移動させることができるようになっている。
【００２１】
また、右側板１０Ｂには、ハンドル５０によって回転される筒状のハンドル軸８４が回転可能に支持されている。この場合、ハンドル軸８４は、右側板１０Ｂに取付け固定された支持筒８２内に回転可能且つ進退可能に挿通されている。ハンドル軸８４の先端部は、リール本体１ａ内に配設された軸受によって支持されている。また、右側板１０Ｂの内側延在部には、その外歯が低速ピニオンギア２２に噛み合う低速ギア８６と、その外歯が高速ピニオンギア２０に噛み合う高速ギア８５とが回転可能に支持されている。この場合、これらのギア８５，８６の中央を貫通するようにハンドル軸８４の先端部が延びている。
【００２２】
また、ハンドル軸８４の先端部には、歯車８７が形成されている。この歯車８７は、ハンドル軸８４が軸方向に進退することにより、高速ギア８５の内歯と噛み合う第１の位置（図１の位置）と、低速ギア８６の内歯と噛み合う第２の位置との間で移動できる。また、ハンドル軸８４には、歯車８７を第１の位置と第２の位置とに位置決めするための位置決め機構が設けられている。この位置決め機構は、ハンドル軸８４に設けられ且つハンドル軸８４の外周面に形成された開口を通じて突没自在なボール８１と、支持筒８２の内周面に形成され且つボール８１と係合する一対の係合溝８２ａ，８２ｂと、ハンドル軸８４内に進退可能に挿通され且つボール８１の突没動作を制御するプッシュロッド８０とを有している。この場合、一対の係合溝８２ａ，８２ｂは、ハンドル軸８４の長手方向に互いに所定距離（具体的は前記第１の位置と第２の位置との間の距離に略等しい）だけ離間して位置されている。また、プッシュロッド８０は、ボール８１と接触してボール８１をハンドル軸８４の外周面から所定量突出させることができる外径に設定された大径部８０ａと、ロッド８０の手元側に形成され且つボール８１をハンドル軸８４内に完全に没入させることができる外径に設定された小径部８０ｂと、大径部８０ａと小径部８０ｂとの間に形成され且つボール８１を大径部８０ａと小径部８０ｂとの間で案内するテーパ部８０ｃとを有している。また、ハンドル軸８４内には、圧縮スプリング８３が設けられている。この圧縮スプリング８３は、ハンドル軸８４とプッシュロッド８０との間に介挿され、ボール８１とプッシュロッド８０の大径部８０ａとが接触する方向にプッシュロッド８０を常時付勢している。この場合、プッシュロッド８０は、圧縮スプリング８３の付勢力により、ハンドル軸８４の手元側開口を塞ぐよう設けられた蓋体８９に当接される。なお、プッシュロッド８０の端部には操作ノブ８０ｄが形成されている。
【００２３】
次に、上記構成の魚釣用リール１の動作について説明する。
【００２４】
まず、ハンドル５０を釣糸巻取り方向に回転すると、ハンドル軸８４が回転し、ハンドル軸８４の歯車８７と噛み合う高速ギア８５または低速ギア８６が回転する。なお、図１の状態では、歯車８７が高速ギア８５と噛み合っているため、高速ギア８５が回転する。高速ギア８５が回転すると、高速ギア８５と噛み合う高速ピニオンギア２０を介してスプール軸４が高速回転する。
【００２５】
ここで、スプール軸４を低速で回転させたい場合には、まず、圧縮スプリング８３の付勢力に抗してプッシュロッド８０を押し込む。プッシュロッド８０を押し込むと、ボール８１と対向接触するプッシュロッド８０の部位が、大径部８０ａから小径部８０ｂへと移行するため、ボール８１は、大径部８０ａと接触して第１の係合溝８２ｂと係合する図１の状態からテーパ部８０ｃの案内によって小径部８０ｂと接触する状態となり、それに伴って、ハンドル軸８４内に没する。そのため、ハンドル軸８４を支持筒８２内に押し込むことが可能になる。その後、この状態のまま、ハンドル軸８４の全体を支持筒８２内にスライドさせながら、プッシュロッド８０への押圧力を解除すると、ボール８１は、第２の係合溝８２ａと対向した時点で、圧縮スプリング８３の付勢力に伴ってプッシュロッド８０の大径部８０ａにより押し出され（突出され）、第２の係合溝８２ａと係合する。この時、ハンドル軸８４の歯車８７は、ハンドル軸８４のスライドに伴って先端側に移動され（第１の位置から第２の位置へと移動され）、低速ギア８６の内歯と噛み合う。したがって、この状態でハンドル５０を釣糸巻取り方向に回転すると、ハンドル軸８４が回転するとともに、ハンドル軸８４の歯車８７と噛み合う低速ギア８６が回転し、低速ギア８６と噛み合う低速ピニオンギア２２を介してスプール軸４が低速回転する。
【００２６】
また、このようにして、スプール軸４が回転すると、スプール軸４に回り止め嵌合されたドラグ押圧部材３１Ａ，３１Ｂも回転する。この時、ドラグレバー６１が図１および図２に示される状態で位置している場合（最も後側（手元側）に位置している場合）には、スプール軸４はその基本位置から軸方向に移動されないため、両方のドラグ押圧部材３１Ａ，３１Ｂとドラグワッシャ２Ａとの間には、圧縮バネ３６の作用により、一定のクリアランスが形成される。したがって、スプール２はフリーで回転でき、スプール２に巻回された釣糸を、何らの抵抗を与えることなく、自由に繰り出すことができる。
【００２７】
また、図１の状態から、例えば図３に示されるようにドラグレバー６１を所定量だけ前方に回動させると、カム機構６２を介してスプール軸４が軸方向（図１の左側…反ハンドル側）に移動される。スプール軸４が反ハンドル側に向かって軸方向に移動されると、第１のドラグ押圧部材３１Ａも、軸受４Ｂ、カラー３９、軸受４Ａ等によって押し出される形で、圧縮バネ３６の付勢力に抗して軸方向に移動してドラグワッシャ２Ａの一方側の側面を押圧した後、軸方向移動しない第２のドラグ押圧部材３１Ｂのライニング材３１ｂとライニング材３１ａとの間でドラグワッシャ２Ａを挟着する。このように、第１のドラグ押圧部材３１Ａのライニング材３１ａがドラグワッシャ２Ａの一側面を押圧し、ドラグワッシャ２Ａの他端面が第２のドラグ押圧部材３１Ｂのライニング材３１ｂに接触した状態（ドラグワッシャ２Ａをライニング材３１ａ，３１ｂで挟着した状態）では、スプール２が、ドラグ押圧部材３１Ａとの摩擦接触に伴う所定のドラグ力により、スプール軸４とともに回転するようになる。なお、この時のドラグ力は、ドラグレバー６１の指標部１４が指し示すレベル表示部１３の数字（図３の状態では、指標部１４がレベル表示部１３の数字６を指し示している）によって明確に認識できる。また、この時、掛かった魚が暴れるなどして前記ドラグ力を超える所定の張力が釣糸に作用すると、スプール２は、釣糸繰り出し方向に回転することができるが、レベル表示部１３と指標部１４との指示位置を確認しながら、ドラグレバー６１による主ドラグ操作と微調節用つまみ１２による副ドラグ操作とによる複合ドラグ操作を、状況に応じて行なうこともできる。
【００２８】
なお、以上の状態から、ドラグレバー６１を更に前方に回動させて、スプール軸４を更に軸方向に移動させると、圧縮バネ３６が更に圧縮されるとともに、ドラグワッシャ２Ａの２つのドラグ押圧部材３１Ａ，３１Ｂ間での挟圧力が更に増す。そして、最終的に、ドラグレバー６１が終端位置（最も前方の位置…指標部１４がレベル表示部１３の数字１０をほぼ指し示す位置）まで回動された時点で、挟圧力が最大に達する。この状態では、スプール２に作用するドラグ力が更に増大し、スプール２は、スプール軸４と完全に摩擦結合され、滑ることなくスプール軸４と一体で回転するようになる。すなわち、スプール４は、釣糸繰り出し方向に回転できなくなり、強負荷状態での巻き取り操作が可能になる。
【００２９】
以上説明したように、本実施形態の魚釣用リール１では、レバー状調節体としてのドラグレバー６１の外側に近接して環状のカバー体１が設けられ、このカバー体１１に、制動力のレベルを表示するためのレベル表示部１３が設けられるとともに、ドラグレバー６１には、レベル表示部１３の数字を指し示すための指標部１４が設けられている。したがって、ドラグレバー６１の回動に伴って指標部１４が指し示すレベル表示部１３の数字により、ドラグレバー６１の回動位置を明確に確認・認識でき、制動力全体の回動調節可能範囲を容易に把握できるとともに、魚とのファイティング時に状況に対応して設定・実行されたドラグ力を正確に実釣時に再現することができる。したがって、ドラグ操作を確実且つ容易に行なうことができる。また、ドラグレバー６１の指標部１４とレベル表示部１３とが近接配置されているため、視認性が良い。
【００３０】
また、本実施形態の魚釣用リール１では、カバー体１１の外側中央部に、制動力の微調節用つまみ１２が回動可能に設けられているため、レベル表示部１３と指標部１４との指示位置を確認しながら、ドラグレバー６１による主ドラグ操作と微調節用つまみ１２による副ドラグ操作とによる複合ドラグ操作を、状況に応じて容易且つ確実に行なうことができる。
【００３１】
図４は、レベル表示部１３および指標部１４の第１の変形例を示している。この変形例において、レベル表示部１３は、前述したような数字ではなく、大きさの異なる円弧状の長孔１３ａとして形成されている。長孔１３ａは、ドラグレバー６１の前方への操作方向に向かって、すなわち、制動力が増大する方向に向かって、その幅（径方向に沿う寸法）が大きくなっている。また、レベル表示部１３を指し示す指標部１４は、長孔１３ａを通じて露出する（視認できる）ように、カバー体１１と対面するドラグレバー６１の表面部位に設けられている。また、指標部１４は、ドラグレバー６１の長手方向に延び且つ長孔１３ａの最大幅（径方向に沿う最大寸法）と同等もしくはそれよりも長い直線マークとして形成されている。なお、それ以外の構成は前述した実施形態と同一であるため、同一符号を付してその説明を省略する。
【００３２】
このように、本変形例によれば、制動力が増加される方向にレベル表示部１３が大きくなっているため、制動力の増加方向を視覚的に容易に認識でき、ドラグ操作性が更に向上する。また、レベル表示部１３が、制動力が増加される方向に大きくなる貫通孔で形成されているため、貫通孔１３ａと指標部１４の両方の大きさの変位で制動力のレベル表示ができ、更に制動力調節の操作性が向上する。
【００３３】
図５は、レベル表示部１３および指標部１４の第２の変形例を示している。この変形例において、レベル表示部１３は、大きさが異なる複数の窓孔１３ｂから成る。窓孔１３ｂは、ドラグレバー６１の前方すなわち制動力が増大する方向に位置するものほど、その幅（周方向に沿う寸法）が大きくなっている。また、レベル表示部１３を指し示す指標部１４は、窓孔１３ｂを通じて露出する（視認できる）ように、カバー体１１と対面するドラグレバー６１の表面部位に設けられている。この場合、指標部１４は、ドラグレバー６１の幅方向に延び且つ窓孔１３ｂの最大幅（周方向に沿う最大寸法）と同等もしくはそれよりも帯状マークとして形成されている。なお、それ以外の構成は前述した実施形態と同一であるため、同一符号を付してその説明を省略する。
【００３４】
したがって、このような本変形例の構成によっても、第１の変形例と同様の作用効果を得ることができる。
【００３５】
図６は、レベル表示部１３および指標部１４の第３の変形例を示している。この変形例において、レベル表示部１３は、色調および大きさがそれぞれ異なる複数の円弧状のマーク１３ｃ〜１３ｆによって形成されている。マーク１３ｃ〜１３ｆは、ドラグレバー６１の前方すなわち制動力が増大する方向に位置するものほど、その幅（径方向に沿う寸法）が大きくなっている。無論、マーク１３ｃ〜１３ｆは、ドラグレバー６１の前方すなわち制動力が増大する方向に位置するものほど、径方向および周方向に沿う寸法の両方が大きくなっていても良い。また、レベル表示部１３を指し示す指標部１４は、レベル表示部１３と近接するドラグレバー６１の部位（具体的には、カバー体１１の径方向外側に突出するドラグレバー６１の部位）に設けられている。なお、それ以外の構成は前述した実施形態と同一であるため、同一符号を付してその説明を省略する。
【００３６】
したがって、このような本変形例の構成によっても、第１の変形例と同様の作用効果を得ることができる。
【００３７】
【発明の効果】
以上説明したように、本発明の魚釣用リールによれば、スプールに付与される制動力を明確に認識でき、ドラグ操作を確実且つ容易に行なえる。
【図面の簡単な説明】
【図１】本発明の一実施形態に係る魚釣用リールの断面図である。
【図２】図１の魚釣用リールの側面図である。
【図３】図１の魚釣用リールの要部拡大側面図である。
【図４】本発明の第１の変形例に係る魚釣用リールの要部拡大側面図である。
【図５】本発明の第２の変形例に係る魚釣用リールの要部拡大側面図である。
【図６】本発明の第３の変形例に係る魚釣用リールの要部拡大側面図である。
【符号の説明】
１…魚釣用両軸受型リール
１ａ…リール本体
２…スプール
１０Ａ，１０Ｂ…側板
１１…カバー体
１２…微調節用つまみ
１３…レベル表示部
１４…指標部
６０…ドラグ機構（制動装置）
６１…ドラグレバー（レバー状調節体）
【図１】
2004173592.tif 000003
【図２】
2004173592.tif 000004
【図３】
2004173592.tif 000005
【図４】
2004173592.tif 000006
【図５】
2004173592.tif 000007
【図６】
2004173592.tif 000008